(57)【要約】【課題】すすぎ室を備えた洗浄機のすすぎ室等でのスケール付着を抑制する物品の洗浄方法を提供する。【解決手段】物品の搬送経路に、物品を洗浄する洗浄室と、洗浄後の物品をすすぐすすぎ室とを備えた洗浄機を用いる物品の洗浄方法であって、すすぎを複数回行い、最後に行うすすぎの前に、キレート剤を含むすすぎ水（Ｉ）によるすすぎを行い、最後のすすぎを、キレート剤を含まないすすぎ水により行う、物品の洗浄方法。【選択図】図２
2020175340.tif 000002
【特許請求の範囲】
【請求項１】
物品の搬送経路に、物品を洗浄する洗浄室と、洗浄後の物品をすすぐすすぎ室とを備えた洗浄機を用いる物品の洗浄方法であって、
すすぎを複数回行い、
最後に行うすすぎの前に、キレート剤を含むすすぎ水（以下、すすぎ水（Ｉ）という）によるすすぎを行い、
最後のすすぎを、キレート剤を含まないすすぎ水（以下、すすぎ水（II）という）により行う、
物品の洗浄方法。
【請求項２】
物品が、物流容器又は食器である、請求項１記載の洗浄方法。
【請求項３】
物流容器が、パレット、コンテナ、及び折り畳みコンテナから選ばれる物流容器である、請求項２記載の洗浄方法。
【請求項４】
すすぎ水（Ｉ）の温度が４０℃以上９５℃以下である、請求項１〜３の何れか１項記載の洗浄方法。
【請求項５】
少なくとも硬度成分を含む水とキレート剤とを混合してすすぎ水（Ｉ）を得る、請求項１〜４の何れか１項記載の洗浄方法。
【請求項６】
すすぎ水（Ｉ）が、キレート剤を捕捉理論値の０．１質量％以上１００質量％以下の量で含有する、請求項１〜５の何れか１項記載の洗浄方法。
【請求項７】
すすぎ水（Ｉ）によるすすぎを１秒以上２０秒以下行う、請求項１〜６の何れか１項記載の洗浄方法。
【請求項８】
すすぎ水（Ｉ）のｐＨが５以上である、請求項１〜７の何れか１項記載の洗浄方法。
【請求項９】
すすぎ水（II）の温度が６０℃以下である、請求項１〜８の何れか１項記載の洗浄方法。
【請求項１０】
最後のすすぎを、物品からキレート剤を除去するために行う、請求項１〜９の何れか１項記載の洗浄方法。
【請求項１１】
すすぎ水（Ｉ）によるすすぎと最後のすすぎとを、異なるすすぎ室で行う、請求項１〜１０の何れか１項記載の洗浄方法。
【請求項１２】
すすぎ水（Ｉ）によるすすぎ及び／又はすすぎ水（II）によるすすぎを、すすぎ水（Ｉ）及び／又はすすぎ水（II）の噴射により行う、請求項１〜１１の何れか１項記載の洗浄方法。
【請求項１３】
物品の搬送経路がコンベア式の軌道を有する、請求項１〜１２の何れか１項記載の洗浄方法。
【請求項１４】
すすぎ室ですすぎ水（Ｉ）及び／又はすすぎ水（II）を循環させて使用する、請求項１〜１３の何れか１項記載の洗浄方法。
【請求項１５】
洗浄を、洗浄液の噴射により行う、請求項１〜１４の何れか１項記載の洗浄方法。
【請求項１６】
すすぎ室で回収したすすぎ水を、洗浄室での洗浄に使用する洗浄液の原料として使用する、請求項１〜１５の何れか１項記載の洗浄方法。
【発明の詳細な説明】
【技術分野】
【０００１】
本発明は、物品の洗浄方法に関する。
【背景技術】
【０００２】
商品の搬送、保管などに、例えば、トレイ、パレット、コンテナ、折り畳みコンテナ（オリコン）などの、いわゆる物流容器が多用されている。この種の容器は、使用により、塵埃、泥、食品由来の汚れなどのさまざまな汚れが徐々に付着するため、定期的に洗浄される。例えば、容器に収容した物品を店舗等に搬入した後、店舗等から回収され、何段にも段積みされた状態でトラック等により所定の洗浄場所に運搬される。搬送されたこの段積みになっている容器は、繰り返して使用するために、洗浄室、すすぎ室、脱水室、乾燥室などを備えた洗浄機を用いて洗浄されるのが一般的である。段積みされた状態で搬入された複数段の容器は、１つずつ分離されて、各容器は洗浄後、脱水あるいは乾燥した後に、容器を再び複数段に段積みされて次の使用に供される。こうした物品の洗浄に関して、洗浄機、洗浄時に用いる薬剤、洗浄方法などについて、従来、種々提案がされている。
【０００３】
特許文献１には、曇点８０℃以下のノニオン性界面活性剤を含有するプラスチックコンテナ用ホコリ付着防止剤組成物及びこれを用いたプラスチックコンテナのすすぎ処理方法が開示されている。
【先行技術文献】
【特許文献】
【０００４】
【特許文献１】特開平１０−２６５７６８号公報
【発明の概要】
【発明が解決しようとする課題】
【０００５】
物流容器などの洗浄機は、使用を繰り返すことで、すすぎ室やその配管などにスケールが発生することがある。スケールが付着すると、操業を停止してスケールの除去作業を行う必要があり、負担が大きい。そのため、できるだけすすぎ室等でのスケールの発生を抑制できるように洗浄機を稼働させて物品を洗浄することが望まれる。
【０００６】
本発明は、すすぎ室を備えた洗浄機のすすぎ室等でのスケール付着を抑制する物品の洗浄方法を提供する。
【課題を解決するための手段】
【０００７】
本発明は、物品の搬送経路に、物品を洗浄する洗浄室と、洗浄後の物品をすすぐすすぎ室とを備えた洗浄機を用いる物品の洗浄方法であって、
すすぎを複数回行い、
最後に行うすすぎの前に、キレート剤を含むすすぎ水（以下、すすぎ水（Ｉ）という）によるすすぎを行い、
最後のすすぎを、キレート剤を含まないすすぎ水（以下、すすぎ水（II）という）により行う、
物品の洗浄方法に関する。
【発明の効果】
【０００８】
本発明によれば、すすぎ室を備えた洗浄機のすすぎ室等でのスケール付着を抑制する物品の洗浄方法が提供される。
【図面の簡単な説明】
【０００９】
【図１】洗浄機の一例を示す概略図
【図２】本発明に使用する洗浄機の一例を示す概略図
【図３】本発明に使用する洗浄機の他の例を示す概略図
【発明を実施するための形態】
【００１０】
本発明の洗浄方法では、物品を洗浄した後のすすぎを、キレート剤を含むすすぎ水（Ｉ）とキレート剤を含まないすすぎ水（II）とで行う。そして、最後に行われるすすぎに、すすぎ水（II）を用いる。
【００１１】
本発明の洗浄方法を、図面を参照して説明する。
図１は、容器等の物品を搬送しながら連続的に洗浄する洗浄機の一例である。図１の洗浄機は、物品１０の搬送経路Ｒに、洗浄室１、すすぎ室２、乾燥室４を備えており、必要に応じて脱水室（図示せず）などを備えることができる。
【００１２】
図２、３は、本発明の洗浄方法に用いる洗浄機の一例である。図２、３の洗浄機もまた、物品１０の搬送経路Ｒに、洗浄室１、すすぎ室２を備えており、必要に応じて図示しない脱水室、乾燥室などを備えることができる。図２、３の洗浄機は、キレート剤の供給手段２２を備えている。
【００１３】
本発明では、すすぎ水（Ｉ）をすすぎ室で物品に適用できればよいので、従来、物流容器などの洗浄に用いられている洗浄機を、大きな変更を加えることなく用いて実施することができる。例えば、図１の洗浄機にキレート剤の供給手段をすすぎ水の供給経路に設置してすすぎ水（Ｉ）が物品に適用されるようにすれば、本発明の洗浄方法に使用することができる。
【００１４】
図１〜３では、物品の搬送経路Ｒは、例えば、コンベアにより形成される。コンベアは、ベルトコンベア、チェーンコンベア、ローラーコンベアなどが挙げられる。コンベアは、図示しないモーターなどの駆動手段に連結されており、モーターを駆動することでコンベアが作動して、所定の速度で容器を洗浄室とすすぎ室を通過させて搬送する。
【００１５】
洗浄室１は、洗浄液噴射用のシャワー１１ａ、シャワー１１ｂを備える。搬送経路Ｒの下方には、洗浄液の洗浄液槽１３が設置されている。洗浄液槽１３にはポンプＰが連結されており、洗浄液槽１３からの洗浄液を必要に応じてシャワー１１ａ、シャワー１１ｂに戻して再利用する。洗浄液槽１３は、ガス、電気、蒸気などを用いて洗浄液を昇温する装置を備えることができる。シャワー１１ａは洗浄室１を通過する物品１０の上方から、また、シャワー１１ｂは洗浄室１を通過する物品１０の下方から、それぞれ、物品１０に向けて洗浄液を噴射する。洗浄液噴射用のシャワーは、洗浄室１の側壁にも設置されていてもよい。通常、シャワー１１ａ、シャワー１１ｂは複数であり、その数は限定されない。
【００１６】
洗浄は、洗浄成分を含む洗浄液を用いて行うことができる。洗浄成分は、物品の汚れを除去するために適した成分であってよく、界面活性剤、アルカリ化剤などが挙げられる。
洗浄室１での洗浄は、洗浄対象の物品に応じて、公知の方法に準じて行うことができる。洗浄室１での洗浄では、例えば、中性洗浄剤、アルカリ性洗浄剤などの適当な洗浄剤を水で希釈した洗浄液を使用することができる。また、洗浄液の温度は、例えば、４０℃以上、更に５０℃以上、更に６０℃以上、そして、９０℃以下、更に８０℃以下であってよい。この温度は、洗浄のために物品に供給される箇所での洗浄液の温度であってよい。
【００１７】
本発明では、洗浄を、洗浄液の噴射により行うことが好ましい。また、すすぎ室で回収したすすぎ水を、洗浄室での洗浄に使用する洗浄液の原料として使用することが好ましい。
【００１８】
洗浄室１で洗浄された物品は、すすぎ室２へと搬送される。
すすぎ室２は、すすぎ水噴射用のシャワー２１ａ、シャワー２１ｂを備える。搬送経路Ｒの下方には、すすぎ水を回収、収容するすすぎ水槽２３が設置されている。すすぎ水槽２３にはポンプＰが連結されており、すすぎ水槽２３からのすすぎ水を必要に応じてシャワー２１ａ、シャワー２１ｂに戻して再利用する。また、すすぎ水槽２３のすすぎ水を、例えばオーバーフローなどを利用して、洗浄室１の洗浄液槽１３に供給して洗浄液の調製に再利用してもよい。すすぎ水槽２３は、ガス、電気、蒸気などを用いてすすぎ水を昇温する装置を備えることができる。シャワー２１ａ、シャワー２１ｂは、すすぎ室２を通過する物品１０にすすぎ水（Ｉ）を噴射する。シャワー２１ａはすすぎ室２を通過する物品１０の上方から、また、シャワー２１ｂはすすぎ室２を通過する物品１０の下方から、それぞれ、物品１０に向けてすすぎ水（Ｉ）を噴射する。すすぎ水（Ｉ）噴射用のシャワーは、すすぎ室２の側壁にも設置されていてもよい。通常、シャワー２１ａ、シャワー２１ｂは複数であり、その数は限定されない。
【００１９】
本発明では、すすぎ室２で、キレート剤を含むすすぎ水（Ｉ）で物品をすすぐ。キレート剤は、キレート剤供給手段からすすぎ水を調製するための水に添加される。これにより、すすぎ水（Ｉ）が調製されて物品に噴射される。図２、３では、すすぎ水のすすぎ水槽２３にキレート剤供給手段２２からのキレート剤が供給されて、一定濃度のキレート剤を含むすすぎ水（Ｉ）がポンプＰを経てシャワー２１ａ、シャワー２１ｂに供給されてすすぎ室２を移動する物品１０に噴射される。
【００２０】
キレート剤は、限定されるものではないが、（１）ニトリロ三酢酸、エチレンジアミン四酢酸、エチレンジアミン二酢酸、テトラエチレンテトラミン六酢酸等のアミノカルボン酸又はその塩、（２）クエン酸、リンゴ酸等のオキシカルボン酸又はその塩、（３）トリポリリン酸などのリン酸又はその塩、（４）グルコン酸、グルコヘプトン酸、グリセリン酸、テトロン酸、ペントン酸、ヘキソン酸、ヘプトン酸等のアルドン酸又はその塩、（５）アミノトリメチレンホスホン酸、ヒドロキシエチリデンジホスホン酸、エチレンジアミンテトラメチレンホスホン酸、ジエチレントリアミンペンタメチレンホスホン酸等のホスホン酸又はその塩、などが挙げられる。塩は、ナトリウム塩、カリウム塩などのアルカリ金属、アンモニウム塩、アミン塩などが挙げられる。
【００２１】
キレート剤は、スケールの発生を抑制する観点から、アミノカルボン酸又はその塩、及びオキシカルボン酸又はその塩から選ばれる１種以上が好ましい。キレート剤は、アミノカルボン酸又はその塩、更にエチレンジアミン四酢酸又はその塩がより好ましい。
【００２２】
すすぎ水（Ｉ）中のキレート剤の濃度は、キレート剤の種類により適宜設定できる。一例として、すすぎ水（Ｉ）は、キレート剤であるエチレンジアミン四酢酸又はその塩を０．０１５ｐｐｍ以上２０００ｐｐｍ以下含有することができる。
【００２３】
すすぎ水（Ｉ）の温度は、例えば、４０℃以上、更に６０℃以上、更に７０℃以上、更に８０℃以上、そして、９５℃以下、更に９０℃以下であってよい。この温度は、すすぎのために物品に供給される箇所でのすすぎ水（Ｉ）の温度であってよい。
【００２４】
すすぎ水（Ｉ）は、硬度成分を含む水とキレート剤とを混合して得られたものであってよい。その場合、すすぎ水（Ｉ）は、キレート剤を捕捉理論値の０．１質量％以上１００質量％以下の量で含有することができる。
【００２５】
水の硬度は、Ｃａ２＋及びＭｇ２＋の総量をＣａＣＯ３の量に換算してｐｐｍ（ｍｇ／Ｌ）で表示される。本発明では、すすぎ水（Ｉ）に用いる水の硬度に対して、ＣａＣＯ３ＣＶ値から計算される、水中のＣａ２＋及びＭｇ２＋を全て捕捉するのに必要なキレート剤の量（ｐｐｍ又はｍｇ／Ｌ）を捕捉理論値とする。
キレート剤の１ｇに対して水中の金属イオンと結合する量をｍｇで表した数値は、ＣＶ値として知られている。前記ＣａＣＯ３ＣＶ値は、キレート剤１ｇに対して水中のＣａ２＋が結合する量をＣａＣＯ３に換算したｍｇ数である。
【００２６】
すすぎ水（Ｉ）によるすすぎは、例えば、１秒以上２０秒以下行うことができる。
【００２７】
すすぎ水（Ｉ）のｐＨは、例えば、５以上、更に６以上、更に８以上、そして、１３以下、更に１２以下、更に１１以下であってよい。
【００２８】
キレート剤は、効果が発現しやすいｐＨ、すなわち至適ｐＨを有するものがある。至適ｐＨは、キレート剤と金属イオンが形成する錯塩が安定であるｐＨに近似する。例えば、エチレンジアミン四酢酸とＣａ２＋が形成する錯塩は、弱アルカリ性からアルカリ性で安定であることが知られている。エチレンジアミン四酢酸が４ナトリウム塩のような塩であれば、通常のキレート剤としての使用量の範囲では、ｐＨを調整しなくてもすすぎ水（Ｉ）は弱アルカリ性からアルカリ性となる。一方、エチレンジアミン四酢酸が酸型の場合は、これを水と混合すると水溶液は酸性になるので、キレート力を高めるためにｐＨを弱アルカリ性からアルカリ性に調整することが好ましい。
【００２９】
すすぎ水（Ｉ）は、キレート剤以外の成分を含んでもよい。キレート剤以外の成分としては、ｐＨ調整剤、リンス剤、分散剤が挙げられる。すすぎは、洗浄後の物品から洗浄成分を除去するために行うものでもあるので、通常、すすぎには、洗浄成分を含まない水が用いられることが多い。本発明でも、すすぎ水（Ｉ）は、洗浄成分を含まなくてもよい。例えば、すすぎ水（Ｉ）は、洗浄成分としての界面活性剤を含有しないものが挙げられる。
【００３０】
本発明では、すすぎを複数回行い、少なくともすすぎ水（Ｉ）によるすすぎを一回行った後に、最後のすすぎとしてキレート剤を含まないすすぎ水（II）によるすすぎを行う。すすぎ水（II）は、水であってよい。水は、地下水、水道水などを使用できる。
【００３１】
図２では、すすぎ水（II）は、シャワー２１’ａ、シャワー２１’ｂからすすぎ室２を移動する物品１０に噴射される。シャワー２１’ａはすすぎ室２を通過する物品１０の上方から、また、シャワー２１’ｂはすすぎ室２を通過する物品１０の下方から、それぞれ、物品１０に向けてすすぎ水（II）を噴射する。
【００３２】
また、図３に示すように、すすぎ水（Ｉ）によるすすぎと、すすぎ水（II）によるすすぎを、異なるすすぎ室で行うことができる。図３中、２’はすすぎ室２とは別に設けられたすすぎ室、シャワー２１’ａ、シャワー２１’ｂはすすぎ水（II）を噴射するシャワー、２３’はすすぎ水を回収、収容するすすぎ水槽である。図３では、すすぎ室２ですすぎ水（Ｉ）によるすすぎが行われ、すすぎ室２’ですすぎ水（II）によるすすぎ（最後のすすぎ）が行われる。
【００３３】
すすぎ水（II）によるすすぎは、例えば、１秒以上２０秒以下で行うことができる。
【００３４】
すすぎ水（II）の温度は、例えば６０℃以下、更に６０℃未満、更に４０℃以下、更に４０℃未満、更に３０℃以下、更に２０℃以下であってよい。すすぎ水（II）の温度は、すすぎ水（Ｉ）の温度よりも低くすることができる。水道水や井戸水などは、加温せずにそのままの温度で使用してもよい。この温度は、すすぎのために物品に供給される箇所でのすすぎ水（II）の温度であってよい。
【００３５】
すすぎ水（II）による最後のすすぎは、物品からキレート剤を除去するために行うものであってよい。
【００３６】
本発明では、すすぎ水（Ｉ）によるすすぎを複数、例えば２回ないし３回、行うことができ、その場合は、図示しないが、すすぎ室を複数設けてよい。
また、本発明では、すすぎ水（II）によるすすぎを複数、例えば２回ないし３回、行うことができ、その場合は、図示しないが、すすぎ室を複数設けてよい。
【００３７】
本発明では、すすぎの回数は２回以上であり、２回、３回又は４回とすることができ、更に２回又は３回とすることできる。すすぎの回数は、１つの物品に対して行われるすすぎを基準としてよい。すすぎの回数が複数であるとは、例えば、すすぎを異なる組成のすすぎ水で行う場合、すすぎを複数のすすぎ室で行う場合、すすぎ水の適用条件（例えば噴射速度、温度、時間など）が異なる場合などを含んでよい。
【００３８】
本発明の洗浄対象物である物品は、好ましくは物流容器、及び食器から選ばれる物品である。物流容器としては、パレット、コンテナ、折り畳みコンテナ、トレイなどが挙げられる。コンテナは、番重と称される薄型の容器も含んでよい。また、パレットは、板状の物流用パレットも含んでよい。食器は、ナイフ、フォーク、スプーン、箸、茶碗、皿、コップなどが挙げられる。物品は、プラスチック、金属、木などの材質からなるものであってよい。物品は、プラスチック製であることが好ましい。
【００３９】
本発明は、洗浄機を物品の洗浄するために稼働させる際に実施できる。そのため、本発明は、物品の搬送経路に、物品を洗浄する洗浄室と、洗浄後の物品をすすぐすすぎ室とを備えた洗浄機の稼働方法であって、
洗浄機を物品の洗浄のために稼働させ、
すすぎを複数回行い、
最後に行うすすぎの前に、キレート剤を含むすすぎ水（Ｉ）によるすすぎを行う、
最後のすすぎを、キレート剤を含まないすすぎ水（II）により行う、
洗浄機の稼働方法を提供する。
【００４０】
また、本発明は、物品の搬送経路に、物品を洗浄する洗浄室と、洗浄後の物品をすすぐすすぎ室とを備えた洗浄機の稼働方法であって、
前記すすぎ室に、キレート剤を含むすすぎ水（Ｉ）を適用し、
次いで、前記すすぎ室に、キレート剤を含まないすすぎ水（II）を適用する、
洗浄機の稼働方法を提供する。
【００４１】
これらの稼働方法では、すすぎ水（Ｉ）、（II）は、本発明の洗浄方法で述べたものと同じであり、好ましい態様も同じである。本発明の洗浄方法で述べた事項は、これらの稼働方法に適用できる。これらの稼働方法では、すすぎの回数は、２回以上であり、２回又は３回が好ましい。すすぎの回数は、１つの物品に対して行われるすすぎを基準としてよい。
【００４２】
このように、本発明では、洗浄後に行う複数のすすぎとして、キレート剤を含むすすぎ水（Ｉ）によるすすぎと、キレート剤を含まないすすぎ水（II）による最後のすすぎとを行うことで、すすぎ室、すすぎ室に連結された配管等でのスケール付着を抑制することができる。
【実施例】
【００４３】
図２の洗浄機で、物品を洗浄する場合の一例を説明する。本発明はこの例に限定されるものではない。
物品１０は、この例では、食品などの運搬に使用するコンテナである。
搬送経路Ｒは、この例では、ベルトコンベアである。
コンテナの搬送速度は、例えば、２〜５ｍ／分とすることができる。
コンテナは、常法により段ばらしされて洗浄室１に搬送される。
洗浄室１では、シャワー１１ａ、シャワー１１ｂから、コンテナに向けて上下から洗浄液が噴射される。洗浄液の噴射量は、例えば、１０Ｌ／分とすることができる。
洗浄液は、中性洗浄剤又はアルカリ性洗浄剤の原液を水で希釈した洗浄液である。洗浄液の温度は、この例では、５０℃以上８０℃以下とすることができる。
すすぎ室２から回収されたすすぎ水を、洗浄室１での洗浄に使用する洗浄液の原料として使用することができる。
【００４４】
洗浄室２で洗浄されたコンテナは、すすぎ室２へと搬送される。
すすぎ室２では、シャワー２１ａ、シャワー２１ｂからコンテナに向けて上下からすすぎ水（Ｉ）が噴射される。すすぎ液（Ｉ）の噴射量は、例えば、１０Ｌ／分とすることができる。
【００４５】
すすぎ水（Ｉ）は、キレート剤を含有する。キレート剤は、例えば、エチレンジアミン四酢酸４ナトリウム４水塩（ＣａＣＯ３ＣＶ値２２１ｍｇ／ｇ）である。
【００４６】
すすぎ水（Ｉ）は、水とキレート剤とを混合して得ることができる。水の硬度に応じて、キレート剤を、捕捉理論値の０．１質量％以上１００質量％以下の量で混合してすすぎ水（Ｉ）とすることができる。例えば、水の硬度が１００ｐｐｍ（ＣａＣＯ３として）の場合、エチレンジアミン四酢酸４ナトリウム４水塩であれば、捕捉理論値は４５２ｍｇ／Ｌであるので、この水に対するエチレンジアミン四酢酸４ナトリウム４水塩の混合量は、０．４５２ｍｇ／Ｌ以上４５２ｍｇ／Ｌ以下とすることができる。
【００４７】
すすぎ室２では、すすぎ水のすすぎ水槽２３にキレート剤供給手段２２からキレート剤を供給して、予め一定濃度のキレート剤を含むすすぎ水（Ｉ）を調製し、ポンプＰを経てシャワー２１に供給してコンテナに噴射することができる。
【００４８】
すすぎ水（Ｉ）の温度は、この例では、５０℃以上８０℃以下とすることができる。また、すすぎ水（Ｉ）のｐＨは、この例では、８以上とすることができる。すすぎ水槽２３にガス、電気、蒸気などを用いた昇温装置を設置して、必要に応じてすすぎ水（Ｉ）を加温して前記範囲の温度に調整することができる。
【００４９】
すすぎ室２では、すすぎ水（Ｉ）によるすすぎの後、シャワー２１’ａ、シャワー２１’ｂから、キレート剤を含まないすすぎ水（II）を上下からコンテナに噴射して、すすぎ水（II）によるすすぎを行う。すすぎ水（II）は、水であってよい。水は、水道水、蒸留水、ＲＯ水、イオン交換水等であってよい。水は、前記のうちの少なくとも１種類を用いることができ、組み合わせて用いることもできるし、混合して用いることもできる。すすぎ水（II）の温度は、この例では、４０℃以下とすることができる。この例では、すすぎ水（II）によるすすぎが最後のすすぎである。すすぎ水（II）によるすすぎにより、コンテナからキレート剤が除去される。すすぎ水（II）による最後のすすぎを終えたコンテナは、常法により、脱水、乾燥、段積みなどを経て次の使用に供される。
【００５０】
図３の洗浄機を用いて本発明によりコンテナなど物品を洗浄する場合、洗浄室１での洗浄、すすぎ室２でのすすぎ（Ｉ）によるすすぎ、すすぎ室２でのすすぎ水（II）によるすすぎが行われる。洗浄室１での洗浄、すすぎ室２でのすすぎは、前記と同様に行われる。そして、すすぎ水（II）による最後のすすぎは、すすぎ室２とは別に設けられたすすぎ室２’で行われる。すすぎ水（II）も前記と同様に噴射すればよい。
【００５１】
本発明が実施されるように洗浄機を稼働させて物品を洗浄することで、図２、３の洗浄機では、すすぎ室２の内部、シャワー２１ａ、２１ｂ、すすぎ水槽２３、シャワー２１ａ、２１ｂやすすぎ水槽２３に連結された配管などにおけるスケール付着を抑制することができる。
【符号の説明】
【００５２】
１：洗浄室
１１ａ、１１ｂ：洗浄液噴射用のシャワー
２：すすぎ室
２１ａ、２１ｂ：すすぎ水（Ｉ）噴射用のシャワー
２２：キレート剤供給手段
２’：すすぎ室
２１’ａ、２１’ｂ：すすぎ水（II）噴射用のシャワー
１０：物品
【図１】
2020175340.tif 000003
【図２】
2020175340.tif 000004
【図３】
2020175340.tif 000005